(57)【要約】      （修正有）【課題】小型で、信頼性があり、時計情報の視認性を改善する、表示システムを提供する。【解決手段】時刻または時刻派生情報を、特に測定された時間を表示するためのシステム１００であって、時刻または時刻派生情報を形成する少なくとも１つの修正可能グラフィック要素（２０ａ〜ｃ）を含む、目盛りぶち１０と、目盛りぶちと協働する、時刻または時刻派生情報を指示するための部材１と、グラフィック要素を修正するための装置と、ユーザの動作により、所定の構成へリセットするための、特にゼロへリセットするための装置であって、時刻または時刻派生情報は指示部材と目盛りぶちとの協働により表示される、装置とを含む。【選択図】図１
2019219383.tif 000002
【特許請求の範囲】
【請求項１】
時刻または時刻派生情報を、特に測定された時間を表示するためのシステム（１００）であって、
時刻または時刻派生情報を形成する少なくとも１つの修正可能グラフィック要素（２０ａ〜ｆ）を含む、目盛りぶち（１０）と、
前記目盛りぶちと協働する、時刻または時刻派生情報指示部材（１）と、
前記グラフィック要素を修正するための装置（２、８、２２、７１）、
ユーザの動作により、所定の構成へリセットするための、特にゼロへリセットするための装置（３、４、３４）であって、前記時刻または時刻派生情報は前記指示部材と前記目盛りぶちとの協働により表示される、装置
を含む、システム。
【請求項２】
前記グラフィック要素を修正するための装置（２、８、２２、７１）は、前記グラフィック要素を駆動するための装置であり、前記修正可能グラフィック要素（２０ａ〜ｆ）は、前記グラフィック要素を修正するための装置（２、８、２２、７１）の影響の下で変位するよう配置され、前記リセット装置（３、４、３４）により、所定位置までリセットされるよう配置される、
請求項１に記載の表示システム（１００）。
【請求項３】
前記所定の構成へリセットするための装置は、前記指示部材（１）を第１所定構成へリセットするための第１要素（３）、及びまたは前記グラフィック要素（２０ａ〜ｆ）を第２所定構成へリセットするための第２要素（４）を含み、及びまたは前記少なくとも１つの修正可能グラフィック要素は、前記少なくとも１つの修正可能グラフィック要素のいくつかの構成において、前記少なくとも１つの修正可能グラフィック要素が、時刻または時刻派生情報の目盛のいくつかの補完的範囲を定義するまたは定義することを助けるように配置される、
請求項１または２に記載の表示システム（１００）。
【請求項４】
前記所定の構成へリセットするための装置は、同一の制御部材の動作により、特に前記制御部材への同一の動作により、前記指示部材（１）を第１所定構成へ位置させ、前記グラフィック要素（２０ａ〜ｆ）を第２所定構成へ位置させるよう配置される、
請求項３に記載の表示システム（１００）。
【請求項５】
前記グラフィック要素を修正するための装置（２、８、２２、７１）は、
少なくとも１つのグラフィック要素を有するサポート（２）、特にディスクと、
エネルギー蓄積器（８）と、
前記時刻または時刻派生情報の表示が増加する場合、及びまたは前記指示部材（１）の変位にあたり、それと同時にエネルギーを前記蓄積器へ伝達するための機構（７１）と、
前記時刻または時刻派生情報の表示が所定値に到達する、及びまたは前記指示部材（１）が所定位置に到達すると、前記蓄積器が提供するエネルギーの影響下で前記サポート（２）の運動を許可するための機構と、
を含む請求項１から４のいずれか一項に記載の表示システム（１００）。
【請求項６】
前記エネルギー蓄積器（８）は、第１端部においてフレーム（９）に固定され、第２端部において、前記フレームに対して可動の、特に前記フレームに対して回転可動の板（２２）に対して支えるばね、特にひげぜんまいを含み、前記板は、前記サポートに固定される、とりわけ摩擦によりまたは刻み目により固定され、前記板は、前記ばねの前記第２端部を連続して受けることが意図されるいくつかの切欠き（２２１ａ〜ｄ）を含む、
請求項５に記載の表示システム（１００）。
【請求項７】
前記伝達機構は、前記指示部材（１）と運動学的に連結されるモバイル（７１）、特に前記指示部材（１）に固定された歯車と噛み合うモバイルを含み、前記モバイルは、前記エネルギー蓄積器に、特に前記ばねの前記第２端部に、１つの切欠きから他の切欠きへ変位させるように作用するよう配置される爪（７２）を含む、
請求項５または６に記載の表示システム（１００）。
【請求項８】
前記許可機構は、第１切抜き（７２１）が設けられ、前記指示部材（１）と運動学的に連結され、いくつかの第２切抜き（２２３ａ〜ｄ）が設けられた前記板（２２）と協働し、前記サポートに固定される、特に摩擦または刻み目で固定される、前記板の回転を係止または許可する係止ディスク（７２０）を含み、前記係止ディスクは、前記板の回転が許可される第１構成と、前記板の回転が前記ディスクによる障害によって防止される第２構成とを含む、
請求項５から７のいずれか一項に記載の表示システム（１００）。
【請求項９】
前記所定構成へリセットするための装置（３、４、３４）は、ハンマー（３４）と、前記指示部材（１）に固定され前記ハンマー（３４）の第１ピーン（３１）の動作を受けることが意図される第１カム（３）、特にハートカムを含み、及びまたは、前記所定構成へリセットするための装置（３、４、３４）は、ハンマー（３４）と、前記サポートに固定され、前記ハンマー（３４）の第２ピーン（４１）の動作を受けることが意図される第２カム（４）を含む、
請求項１から８のいずれか一項に記載の表示システム（１００）。
【請求項１０】
前記第１ピーン（３１）は、前記ハンマーの本体に対して可動に、特に並進可動に、特に第１軸（Ａ４）に沿って並進可動に、取付けられ、前記ハンマーは、前記第１ピーン（３１）を前記ハンマーの前記本体に対して、特に前記第２ピーン（４１）に対して静止位置に戻すための要素（３１ａ）を含む、
請求項９に記載の表示システム（１００）。
【請求項１１】
請求項１から１０のいずれか一項に記載のシステムを含む、時計ムーブメント（２００）。
【請求項１２】
請求項１から１０のいずれか一項に記載のシステム（１００）及びまたは請求項１１に記載の時計ムーブメントを含む、時計（３００）、特に腕時計。
【請求項１３】
請求項１から１０のいずれか一項に記載の表示システムまたは請求項１１に記載の時計ムーブメントまたは請求項１２に記載の時計の作動方法であって、
前記指示部材（１）と前記目盛りぶちとの協働による時刻または時刻派生情報の表示、その後、
前記表示システムへのユーザの動作、特に前記表示システムへの前記ユーザの単純な動作、例えば前記表示システムの押し部品（ＯＣ）への前記ユーザによる押圧、その後、
動作ステップの結果、前記指示部材（１）と前記目盛りぶちとの協働により表示された前記時刻または時刻派生情報の所定構成へのリセット、特にゼロへのリセット、特に指示部材（１）の第１所定構成へのリセット及びまたは前記グラフィック要素の第２所定構成へのリセット、
のステップを含む、作動方法。
【請求項１４】
前記表示ステップは、
爪（７２）の動作によるエネルギー蓄積器（８）の締め付け、特に爪（７２）による前記ばねの端部の変位動作によるばねの締め付け、その後、
サポート（２）の位置の解除、その後、
前記エネルギー蓄積器が解放する機械的エネルギーによる、前記サポート（２）の変位、
のステップを含む、請求項１３に記載の作動方法。
【請求項１５】
請求項１から１２のいずれか一項に記載の表示システムまたは請求項１３に記載の時計ムーブメントまたは請求項１４に記載の時計の作動方法であって、
爪（７２）の動作によるエネルギー蓄積器（８）の締め付け、特に爪（７２）による前記ばねの端部の変位動作によるばねの締め付け、その後、
サポート（２）の位置の解除、その後、
前記エネルギー蓄積器が解放する機械的エネルギーによる、前記サポート（２）の変位、
のステップを含む、作動方法。
【発明の詳細な説明】
【技術分野】
【０００１】
本発明は、時計表示システムに関する。本発明はまた、起動システムに関する。本発明は、当該表示または当該起動システムを有するムーブメントに関する。また、本発明は、当該表示または当該起動システムまたは当該ムーブメントを有する時計、特に腕時計に関する。本発明は最後に、当該表示または当該起動システム、当該ムーブメントまたは当該時計の作動方法に関する。
【背景技術】
【０００２】
時刻表示、特に測定された時間を表示するための装置は、従来技術から既知であり、特にクロノグラフとして知られるもののように、時間カウンターまたはトータライザーの形態を取ることができる。こうした装置において、一般的には針の形態を取る表示部材は、例えば経過した数分の１秒の、秒の、分の、または時の数を数えるように、所定の目盛と協働するために設けられる。
【０００３】
分トータライザーの場合、目盛を区別可能なように、円に配置された３０分の目盛で時間を測定するのが一般的である。この場合、測定された時間の表示限度は一般的には３０分であり、十分でないこともある。時トータライザーの場合、目盛を区別可能なように、円に配置された１２時間の目盛で時間を測定するのが一般的である。この場合、測定された時の表示限度は一般的には１２時間であり、十分でないこともある。
【０００４】
特許文献１から、分を示すために第１目盛と協働するよう設けられた針の形状の第１表示部材と、時を示すために窓から出現するディスクの形状の第２表示部材とを含む時計が知られている。表示された時刻は、現在時刻を構成する。
【０００５】
特許文献２は、２４時間にわたり現在時刻を表示するための機構を開示する。ディスクは、文字盤が、１３時から２４時までの現在時刻を示すディスクの第１構成と、１時から１２時の現在時刻を示すディスクの第２構成の、２つの構成を表すことができるように、２つの位置に従って振幅する。
【０００６】
特許文献３は、中心端部が締め付けモバイルに固定され、先端部が表示部材に固定される、ひげぜんまいを組み入れた、瞬間的ジャンプ機構を開示する。
【０００７】
こうした様々な実施形態は、測定された時間を表示するために用いることはできない。実際、こうした測定時間表示機能は、表示を固定し、またそれをリセットする能力を必要とする。
【先行技術文献】
【特許文献】
【０００８】
【特許文献１】欧州特許出願公開第０８６９４１０号明細書
【特許文献１】スイス国特許出願公開第６８７７９６号明細書
【特許文献２】欧州特許出願公開第２７９９９３８号明細書
【発明の概要】
【発明が解決しようとする課題】
【０００９】
本発明の目的は、上述の欠点を救済可能であり、従来技術から既知の表示システムを向上させることができる、表示システムを提供することである。特に本発明は、小型で、信頼性があり、時計情報の視認性を改善する、表示システムを提案する。
【課題を解決するための手段】
【００１０】
本発明の第１態様によれば、表示システムは以下の定義で定義される。
【００１１】
１．  時刻または時刻派生情報を、特に測定された時間を表示するためのシステムであって、
時刻または時刻派生情報を形成する少なくとも１つの修正可能グラフィック要素を含む、目盛りぶちと、
前記目盛りぶちと協働する、時刻または時刻派生情報を指示するための部材と、
前記グラフィック要素を修正するための装置と、
ユーザの動作により、所定の構成へリセットするための、特にゼロへリセットするための装置であって、前記時刻または時刻派生情報は前記指示部材と前記目盛りぶちとの協働により表示される、装置と
を含む、システム。
【００１２】
２．  前記グラフィック要素を修正するための装置は、前記グラフィック要素を駆動するための装置であり、前記修正可能グラフィック要素は、前記グラフィック要素を修正するための装置の影響の下で変位するよう配置され、前記リセット装置により、所定位置までリセットされるよう配置される、
定義１に記載の表示システム。
【００１３】
３．  前記所定の構成へリセットするための装置は、前記指示部材を第１所定構成へリセットするための第１要素、及びまたは前記グラフィック要素を第２所定構成へリセットするための第２要素を含み、及びまたは前記少なくとも１つの修正可能グラフィック要素は、前記少なくとも１つの修正可能グラフィック要素のいくつかの構成において、前記少なくとも１つの修正可能グラフィック要素が、時刻または時刻派生情報の目盛のいくつかの補完的範囲を定義するまたは定義することを助けるように配置される、
定義１または２に記載の表示システム。
【００１４】
４．  前記所定の構成へリセットするための装置は、同一の制御部材の動作により、特に前記制御部材への同一の動作により、前記指示部材を第１所定構成へ位置させ、前記グラフィック要素を第２所定構成へ位置させるよう配置される、
定義３に記載の表示システム。
【００１５】
５．  前記グラフィック要素を修正するための装置は、
少なくとも１つのグラフィック要素を有するサポート、特にディスクと、
エネルギー蓄積器と、
前記時刻または時刻派生情報の表示が増加する場合、及びまたは前記指示部材の変位にあたり、エネルギーを蓄積器へ伝達するための機構と、
前記時刻または時刻派生情報の表示が所定値に到達する、及びまたは前記指示部材が所定位置に到達すると、前記蓄積器が提供するエネルギーの影響下で前記サポートの運動を許可するための機構と、
を含む定義１から４のいずれか一つに記載の表示システム。
【００１６】
６．  前記エネルギー蓄積器は、第１端部においてフレームに固定され、第２端部を前記フレームに対して可動の、特に前記フレームに対して回転可動の板に対して当接させるばね、特にひげぜんまいを含み、前記板は、前記サポートに固定される、とりわけ摩擦によりまたは刻み目により固定され、前記板は、前記ばねの前記第２端部を連続して受けることが意図されるいくつかの切欠きを含む、
定義５に記載の表示システム。
【００１７】
７．  前記伝達機構は、前記指示部材と運動学的に連結されるモバイル、特に前記指示部材に固定された歯車と噛み合うモバイルを含み、前記モバイルは、前記エネルギー蓄積器に、特に前記ばねの前記第２端部に、１つの切欠きから他の切欠きへ変位させるように作用するよう配置される爪を含む、
定義５または６に記載の表示システム。
【００１８】
８．  前記許可機構は、第１切抜きが設けられ、前記指示部材と運動学的に連結され、いくつかの第２切抜きが設けられた前記板と協働し、前記サポートに固定される、特に摩擦または刻み目で固定される、前記板の回転を係止または許可する係止ディスクを含み、前記係止ディスクは、前記板の回転が許可される第１構成と、前記板の回転が前記ディスクによる障害によって防止される第２構成とを含む、
定義５から７のいずれか一項に記載の表示システム。
【００１９】
９．  前記所定構成へリセットするための装置は、ハンマーと、前記指示部材に固定され前記ハンマーの第１ピーンの動作を受けることが意図される第１カム、特にハートカムを含み、及びまたは、前記所定構成へリセットするための装置は、ハンマーと、前記サポートに固定され、前記ハンマーの第２ピーンの動作を受けることが意図される第２カムを含む、
定義１から８のいずれか一つに記載の表示システム。
【００２０】
１０．  前記第１ピーンは、前記ハンマーの本体に対して可動に、特に並進可動に、特に第１軸に沿って並進可動に、取付けられ、前記ハンマーは、前記第１ピーンを前記ハンマーの前記本体に対して、特に前記第２ピーンに対して静止位置に戻すための要素を含む、
定義９に記載の表示システム。
【００２１】
本発明の第１態様によれば、ムーブメントは、以下の定義で定義される。
【００２２】
１１．  定義１から１０のいずれか一つに記載のシステムを含む、時計ムーブメント。
【００２３】
本発明の第１態様によれば、時計は以下の定義で定義される。
【００２４】
１２．  定義１から１０のいずれか一つに記載のシステム及びまたは定義１１に記載の時計ムーブメントを含む、時計、特に腕時計。
【００２５】
本発明の第１態様によれば、作動方法は、以下の定義で定義される。
【００２６】
１３．  定義１から１０のいずれか一つに記載の表示システムまたは定義１１に記載の時計ムーブメントまたは定義１２に記載の時計の作動方法であって、
前記指示部材と前記目盛りぶちとの協働による時刻または時刻派生情報の表示、その後、
前記表示システムへのユーザの動作、特に前記表示システムへの前記ユーザの単純な動作、例えば前記表示システムの押し部品への前記ユーザによる押圧、その後、
動作ステップの結果、前記指示部材と前記目盛りぶちとの協働により表示された前記時刻または時刻派生情報の所定構成へのリセット、特にゼロへのリセット、特に指示部材の第１所定構成へのリセット及びまたは前記グラフィック要素の第２所定構成へのリセット、
のステップを含む、作動方法。
【００２７】
１４．  前記表示ステップは、
爪の動作によるエネルギー蓄積器の締め付け、特に爪による前記ばねの端部の変位動作によるばねの締め付け、その後、
サポートの位置の解除、その後、
前記エネルギー蓄積器が解放する機械的エネルギーによる、前記サポートの変位、
のステップを含む、定義１３に記載の作動方法。
【００２８】
１５．  定義１から１２のいずれか一つに記載の表示システムまたは定義１３に記載の時計ムーブメントまたは定義１４に記載の時計の作動方法であって、
爪の動作によるエネルギー蓄積器の締め付け、特に爪による前記ばねの端部の変位動作によるばねの締め付け、その後、
サポートの位置の解除、その後、
前記エネルギー蓄積器が解放する機械的エネルギーによる、前記サポートの変位、
のステップを含む、作動方法。
【００２９】
本発明の第２態様によれば、起動システムは、以下の定義で定義される。
【００３０】
１６．  第１モバイル２１を、特に時刻または時刻派生情報を表示するためのディスクを起動するためのシステム１５０であって、前記システムは、
−  第１モバイル２１がその上で第１軸Ａ１周りを旋回するフレーム９と、
−  エネルギー蓄積器８と、
−  エネルギーを蓄積器に伝達するための機構７１と、
−  蓄積器が提供するエネルギーの影響の下で、第１モバイル２１の運動を許可するための機構と、
を含む。
【００３１】
１７．  前記エネルギー蓄積器は、第１端部が前記フレーム９に固定され、第２端部が前記第１モバイルに当接する、ばねを、特にひげぜんまいを含み、前記第１モバイルは、連続して前記ばねの前記第２端部を受けることが意図されるいくつかの切欠き２２１ａ〜ｄを含む、定義１６に記載の起動システム。
【００３２】
１８．  前記伝達機構は、運動駆動される、特に前記第１軸Ａ１に平行なまたは実質的に平行な第２軸Ａ２周りに回転運動駆動される第２モバイル７１を含み、第２モバイルは、エネルギー蓄積器を締め付けるように作用するよう、特に前記ばねの前記第２端部を一の切欠きから他の切欠きへ変位させるように作用するよう配置された、爪７２を含む、定義１６及び１７に記載の起動システム。
【００３３】
１９．  前記許可機構は、第１切抜き７２１が設けられた係止ディスク７２０が設けられ、運動駆動され、特に前記第１軸Ａ１に平行なまたは実質的に平行な第３軸周りに回転運動駆動され、前記第１モバイルの回転を係止または許可するために前記第１モバイルに形成されたいくつかの第２切抜き２２３ａ〜ｄと協働する、第３モバイルを含み、前記係止ディスクは、前記第１モバイルの回転が許可される第１構成と、前記係止ディスクとの障害により前記第１モバイルの前記回転が禁止される第２構成とを有する、定義１６から１８のいずれか一つに記載の起動システム。
【００３４】
２０．  前記第２及び第３モバイルは、同一のモバイルである、定義１９に記載の起動システム。
【００３５】
２１．  前記切欠きは、前記第１軸Ａ１に中心を取る正多角形の頂点に形成される、定義１６から２０及び定義１７のいずれか一つに記載の起動システム。
【００３６】
２２．  各切欠きは、隣接する切欠きに、案内面２２２ａ〜ｄにより連結される、定義１６から２１及び定義１７のいずれか一つに記載の起動システム。
【００３７】
２３．  各切欠きは、前記第１モバイルの静止位置を定義するため、前記エネルギー蓄積器と協働するよう配置され、前記エネルギー蓄積器は、前記第１モバイルを、前記蓄積器、前記切欠き、及び前記当接部８３ａの協働により定義される前記静止位置へ戻す力を生成する、定義１６から２２及び定義１７のいずれか一つに記載の起動システム。
【００３８】
２４．  前記第１モバイルは、切欠きが設けられた本体２２と、前記第１モバイル２１の部材２、特に摩擦により、特に刻み目により前記第１軸Ａ１周りに本体上に可動に取付けられるディスクを含む、定義１６から２３のいずれか一つ及び定義１７に記載の起動システム。
【００３９】
２５．  前記第１モバイル２１の部材２を所定構成へリセットするための要素４、特にカム４を含む、前記第１モバイルを所定構成へリセットするための装置４、３４を含む、定義２４に記載の起動システム。
【００４０】
本発明の第２態様によれば、ムーブメントは以下の定義で定義される。
【００４１】
２６．  定義１６から２５のいずれか一つに記載のシステム１５０を含む、時計ムーブメント２００。
【００４２】
本発明の第２態様によれば、時計は、以下の定義で定義される。
【００４３】
２７．  定義１６から２５のいずれか一つに記載のシステム１５０及びまたは定義２６に記載の時計ムーブメントを含む、時計３００、特に腕時計。
【００４４】
本発明の第２態様によれば、作動方法は、以下の定義で定義される。
【００４５】
２８．  定義１６から２５のいずれか一つに記載の起動システムまたは定義２６に記載の時計ムーブメントまたは定義２７に記載の時計の作動方法であって、
前記第１モバイルの第１構成への設定、その後
前記起動システムへのユーザの動作、特に前記起動システムへの前記ユーザの単純な動作、例えば前記起動システムの押し部品ＯＣへの前記ユーザによる押圧、その後、
前記動作ステップの結果、前記第１モバイルの所定構成へのリセット、
のステップを含む、作動方法。
【００４６】
２９．  前記第１構成への設定は、
爪７２の動作によるエネルギー蓄積器の締め付け、特に爪７２による前記ばねの端部の変位動作によるばねの締め付け、その後、
第１モバイル２１の位置の解除、その後、
前記エネルギー蓄積器が解放する機械的エネルギーによる、前記第１モバイル２１の変位、
のステップを含む、定義２８に記載の作動方法。
【００４７】
３０．  定義１６から２５のいずれか一つに記載の起動システムまたは定義２６に記載の時計ムーブメントまたは定義２７に記載の時計の作動方法であって、
爪７２の動作によるエネルギー蓄積器の締め付け、特に爪７２による前記ばねの端部の変位動作によるばねの締め付け、その後、
第１モバイル２１の位置の解除、その後、
前記エネルギー蓄積器が解放する機械的エネルギーによる、前記第１モバイル２１の変位、
のステップを含む、作動方法。
【００４８】
あらゆる論理的または技術的不一致の場合を除き、第１及び第２態様の特徴のあらゆる組み合わせを生じることができる。
【００４９】
添付の図面は、例として、表示システムの実施形態または起動システムの実施形態を包含する時計の実施形態を示す。
【図面の簡単な説明】
【００５０】
【図１】図１は、第１構成にある表示システムの実施形態を含む、時計の実施形態の図である。
【図２】図２は、第２構成にある表示システムの実施形態を有する、時計の実施形態の図である。
【図３】図３は、表示システムの実施形態の部分的正面図である。
【図４】図４は、表示システムの実施形態の部分的背面図である。
【図５】図５は、表示システムの実施形態の、図４に示す平面Ａ−Ａに沿った断面図である。
【図６】図６は、針と当該針の戻しばねが図示される、表示システムの実施形態の部分的正面図である。
【図７】図７は、表示システムの作動を示す、様々な位置や構成の表示システムの実施形態の、部分的正面図である。
【図８】図８は、表示システムの作動を示す、様々な位置や構成の表示システムの実施形態の、部分的正面図である。
【図９】図９は、表示システムの作動を示す、様々な位置や構成の表示システムの実施形態の、部分的正面図である。
【図１０】図１０は、表示システムの作動を示す、様々な位置や構成の表示システムの実施形態の、部分的正面図である。
【図１１】図１１は、表示システムの作動を示す、様々な位置や構成の表示システムの実施形態の、部分的正面図である。
【図１２】図１２は、第１位置に示す表示を初期化するための要素を有する、表示システムの実施形態の部分的背面図である。
【図１３】図１３は、第２位置に示す表示を初期化するための要素を有する、表示システムの実施形態の部分的背面図である。
【図１４】図１４は、表示を初期化するための要素の斜視図である。
【発明を実施するための形態】
【００５１】
第１態様により、時計３００の実施形態を、図１から１４を参照して以下に説明する。時計は、好ましくは小型時計、特に腕時計である。
【００５２】
時計は、時計ムーブメントを含む。時計ムーブメントは、電子式でも機械式でもよく、特に自動式である。
【００５３】
時計ムーブメントは、有利には、クロノグラフシステムを、例えばクロノグラフモジュールを含む。
時計ムーブメント、特にクロノグラフシステムは、時刻または時刻派生情報を表示するためのシステム１００の、特に測定された時刻を表示するためのシステム１００の実施形態を含む。
【００５４】
時刻または時刻派生情報を表示するためのシステム１００は、
−  時刻または時刻派生情報を形成する少なくとも１つの修正可能グラフィック要素２０ａ〜ｆを含む、目盛りぶち１０、
−  目盛りぶちと協働して時刻または時刻派生情報を示すための部材１、
−  グラフィック要素を修正するための装置２、８、２２、７１、
−  ユーザの動作により、所定の構成へリセットするための、特にゼロへリセットするための装置３、４、３４であって、時刻または時刻派生情報は指示部材と目盛りぶちとの協働により表示される、装置
を含む。
【００５５】
時刻または時刻派生情報は、特に時情報及びまたは分情報及びまたは秒情報及びまたは数分の１秒情報であってもよい。当該情報は、現在の計時情報でもよく、記録された計時情報でもよい。
【００５６】
表示システムは、フレーム９を、特にムーブメントブランク９を含んでもよい。
【００５７】
目盛りぶちは、完全な円にわたり形成されてもよく、または円弧にわたってのみ形成されてもよい。拡張として、目盛りぶちは、直線線分として実現されてもよい。より一般的には、目盛りぶちは、あらゆる直線または曲線形状を有してもよい。表示システムは、文字盤を含んでもよく、目盛りぶちは、文字盤上に実現されてもよい。表示システムは、カウンターを含んでもよく、目盛環は、カウンター上に実現されてもよい。目盛りぶちは、目盛を含んでも、または目盛と関連してもよい。当該目盛は、文字盤上にまたはカウンター上に実現されてもよい。 
【００５８】
グラフィック要素は、あらゆる形態でよく、あらゆるマーク２０ａ、２０ｂ、２０ｃ、２０ｄ、２０ｅ、２０ｆであってよい。グラフィック要素は、アルファベット文字を含んでもよく、または英数字列を含んでも良い。好ましくは、グラフィック要素は、１以上の数字である。好ましくは、文字盤は、１以上の窓または開口部１０ａ、１０ｂ、１０ｃを含み、グラフィック要素は、窓または開口部と協働する、すなわちグラフィック要素は窓または開口部から見ることができる。
【００５９】
好ましくは、表示システムは、少なくとも１つのグラフィック要素を有するサポート２を、特にディスク２を含む。
【００６０】
グラフィック要素は、基準である、または関連する目盛りぶちの基準を定義する。有利には、グラフィック要素は、基準である、または関連する目盛の基準を定義する。例えば、グラフィック要素は、目盛りぶちの原点または目盛の原点を定義する。特に、グラフィック要素は、目盛りぶちに、または目盛に、または目盛りぶちと関連する目盛に意味を与える。
【００６１】
例えば図１は、第１表示構成Ｃ１にある表示システム１００を示す。システムは、３つの開口部が配置される目盛りぶちを有する文字盤を含む。当該構成において、サポート２は、グラフィック要素「０」、「１０」及び「２０」が開口部に現れるように配置される。このため、目盛りぶちの原点は「０」であることが理解され、０から２９までの整数値を読むことを可能にする。
【００６２】
例えば図２は、第２表示構成Ｃ２にある表示システム１００を示す。当該構成において、サポート２は、グラフィック要素「３０」、「４０」及び「５０」が開口部に現れるように配置される。このため、目盛りぶちの原点は「３０」であることが理解され、３０から５９までの整数値を読むことを可能にする。
【００６３】
このように目盛りぶち１０は、時計の装着者に可視のグラフィック要素の機能として、特に開口部１０ａ、１０ｂ、１０ｃに現れるであろうグラフィック要素の機能として、調節させることができる。
【００６４】
インジケータ部材１は、例えば、針である。更に一般的には、インジケータ部材は、あらゆるカーソル、または目盛りぶちを指し示すまたは点を示すことを可能にし、結果として目盛りぶちと協働して、たとえおおよそであっても、値を示すことを可能にするあらゆる部材であってもよい。
【００６５】
例えば、インジケータ部材１は、フレームに対して可動に、特に軸Ａ１周りにフレームに対して回転可動に取付けられる。
【００６６】
図示する実施形態において、インジケータ部材は、円Ｃにわたり延長する第１目盛１０と協働する、針である。
【００６７】
表示システムはまた、以下に図３から５を参照して説明される、インジケータ部材１を駆動するための機構を含む。インジケータ部材は、第１モバイル１１のピボットシャンク １２へ固定され、第１モバイルへは歯車１３も打ち込まれる。歯車１３は、ピニオン５を通して周期的に起動されることができ、ピニオン５は図示しない駆動システムを通して周期的に起動されることができる。インジケータ部材１の角度割出は、自身については、例えばその鼻６ａがピニオン５の歯に直接作用するジャンパ６を通して実施される。このため、インジケータ部材１は、例えば、駆動機構を通して、数分の１秒毎または１秒毎または１分毎または１時間毎、角度的ステップを実施することができ、２つのジャンプ間は、割出ジャンパ６、６ａを通してその位置に維持されることができる。
【００６８】
有利には、表示システム１００の第１構成Ｃ１から第２構成Ｃ２への切替は、インジケータ部材１が、最初に目盛りぶちの全長にわたり進んだ後に、特に円Ｃの限度に対応する１度目の回転に及んだ後に、目盛りぶちの原点または開口部１０ａに向いて位置する瞬間に実施される。有利には、切替は、完全に瞬間的に実施される。
【００６９】
表示システム１００の第２構成Ｃ２から第１構成Ｃ１への切替は、インジケータ部材１が、二度目に目盛りぶちの全長にわたり進んだ後に、特に円Ｃの限度に対応する２度目の回転に及んだ後に、目盛りぶちの原点または開口部１０ａに向いて再度位置する瞬間に実施される。有利には、切替は、瞬間的に実施される。
【００７０】
好ましくは、グラフィック要素を修正するための装置２、８、２２、７１は、グラフィック要素を駆動するための装置、特に修正可能グラフィック要素２０ａ〜ｆを有するサポート２を駆動するための装置である。サポート及びまたはグラフィック要素は、グラフィック要素を修正するための装置２、８、２２、７１の影響の下で変位されるよう、配置される。更に、サポート及びまたはグラフィック要素は、有利には、位置リセット装置３、４、３４により所定の位置へリセット可能に配置される。このため、修正可能グラフィック要素は、例えば、変位により修正可能である、特に修正可能グラフィック要素は、
−  第１位置で、特に開口部１０ａで見ることのできる第１グラフィック要素２０ａの、第１位置から第２位置への、特に見ることのできない第２位置への変位、
及び、同時に、または続いて
−  第２グラフィック要素２０ｄの、特に第３位置の見ることのできない第２グラフィック要素２０ｄの、第３位置から第１位置への、特に見ることのできる第１位置への変位、
により、修正される。
【００７１】
グラフィック要素を修正するための装置は、
−  少なくとも１つのグラフィック要素を有する、サポート２、特にディスク、
−  エネルギー蓄積器８、
−  時刻または時刻派生情報の表示が増加する場合、及びまたは指示部材１の変位にあたり、それと同時に蓄積器にエネルギーを伝達するための機構７１、及び
−  時刻または時刻派生情報の表示が所定の値に到達する、及びまたは指示部材１が所定の位置に到達するとき、蓄積器が提供するエネルギーの影響下でサポート２の運動を許可するための機構、
を含む。
【００７２】
エネルギー蓄積器８は、第１端部８１ｂにおいてフレーム９に固定され、第２端部において、フレームに対して可動の、特に軸Ａ１周りにフレームに対して回転可能の板２２に対して支えるばね、特にひげぜんまい８１を含んでもよい。 
【００７３】
板は、例えばサポートに固定される。特に、板は、有利には、サポートから解放可能なように、サポートに対して摩擦により、または刻み目により、固定される。板は、連続的にばねの第２端部８１ａを受けることが意図される、いくつかの切欠き２２１ａ~ｄを含む。図示の実施形態において、板は、軸Ａ１周りに角度的に一定間隔で分布される４つの切欠きを含む。このため、板２２は、星の形状のくりぬかれた切抜き２２１を含み、切欠きの分岐は、ばねの第２端部を受けるために設けられた切欠き２２１ａ、２２１ｂ、２２１ｃ、２２１ｄを形成する。
【００７４】
第１端部（中央端部８１ｂ）は、例えばフレーム９に加えられたほぞ８２の形状を取る、当接部８２を通して回転不能とされる。第２端部（末端部８１ａ）は、ピン８４により形成されるまたはピン８４を含む。当該ピン８４は、前述の切欠き２２１ａ〜ｄと協働することが意図される。
【００７５】
更に、ピン８４は、例えばフレーム９上に形成またはくりぬかれたカム経路８３の端部８３ａに対して当接して保持されるように配置される。こうすることで、ばね８１は、はっきりと配置され、フレーム９に対向してプレストレスされて保持される。
【００７６】
このため、蓄積器は、板の形状を取ることができる中間要素２２を通して、サポート２に作用するように配置される。
【００７７】
サポート−板組立体は、フレーム９上で旋回する筒状要素２３に取付けられ、インジケータ部材１が取付けられるピボットシャンク１２周りに回転案内される第２モバイル２１を形成する。
【００７８】
伝達機構は、有利には、指示部材１と運動学的に連結された第３モバイル７１を、特に第１モバイルの歯車１３と噛み合い、このため指示部材１に固定される、第３モバイルを含む。第３モバイル７１は、フレーム９に対して可動、特に軸Ａ１に平行な軸Ａ２周りに、フレーム９に対して回転可動である。第３モバイル７１は、板２２の第１切欠き２２１ａから隣接する第２切欠き２２１ｂへ変位させるために、エネルギー蓄積器に、特にばねの第２端部８１ａに、特にピン８４に、作用するよう配置された爪７２を含む。当該変位は、蓄積器の作用に反して行われる。当該変位において、蓄積器の第２端部は、切欠き２２１の側面２２２ａにより案内され、当該側面は、板２２の第１切欠き２２１ａから隣接する第２切欠き２２１ｂへ連結する。
【００７９】
サポート２の駆動は、駆動爪７２を通じて生成される。爪は、例えば、爪に固定される歯車７３を通じて、歯車１３に運動学的に連結される。このため、指示部材１の周期的駆動は、駆動爪７２と歯車７３を含む第３モバイル７１の周期的な回転を駆動する。
【００８０】
爪７２は、結果として、エネルギー蓄積器８経由でサポート２に作用するように配置される。
【００８１】
許可機構は、指示部材１と運動学的に連結され、板の回転を係止または許可するためのいくつかの第２切抜き２２３ａ〜ｄが設けられた板２２と協働する、第１切抜き７２１が設けられた係止ディスク７２０を含む。係止ディスク７２０は、有利には、第３モバイル７１の一部を形成する。好ましくは、係止ディスク７２０と爪７２は、第１モバイルに同期した態様で作用するために、整列するまたは軸Ａ２周りに角度的に位置される。係止ディスクは、軸Ａ１周りのフレーム９に対する第１モバイルの回転を許可または禁止するために、第１モバイルと、特に第１モバイルの形状と、特に第１モバイルの板２２の周囲２２０と、の障害により協働する。
【００８２】
板２２の周囲２２０は、有利には、マルタ十字架形状を有する。第２切抜き２２３ａ〜ｄは、有利には、（第１切抜き７２１の部分を除く）係止ディスクの形状を補完するまたは実質的に補完する形状を有する。
【００８３】
このため、係止ディスクは、板の回転が許可されるまたは部分的に許可される、（図７と１１に図示される位置を含む、いくつかの位置を含む）第１構成を有する。
【００８４】
更に、係止ディスクは、係止ディスクとの障害により板の回転が禁止される、（図８、９、及び１０に図示される位置を含む、いくつかの位置を含む）第２構成を有する。
【００８５】
所定の構成へリセットするための装置３、４、２４は、有利には、
−  指示部材を第１所定構成へリセットするための第１要素３、及びまたは
−  グラフィック要素２０ａ〜ｆを第２所定構成へリセットするための第２要素４
を含む。
【００８６】
好ましくは、所定の構成へリセットするための装置は、同一の制御部材の動作により、特に図１２及び１３に模式的に示される制御部材ＯＣへの同一の動作を介して、指示部材を第１所定構成へ及びグラフィック要素２０ａ〜ｆを第２所定構成へ位置させるように配置される。有利には、当該制御部材は、時計の装着者により起動可能である。例えば、時計の装着者による動作は、押し部品を押すことでもよい。説明する実施形態において、このような動作は、
−  開口部１０ａで「０」を示すグラフィック要素２０ａをリセットし、開口部１０ｂ及び１０ｃで「１０」と「２０」をそれぞれ示すグラフィック要素２０ｂと２０ｃをリセットする、及び
−  インジケータ部材を、開口部１０ａを示す構成へリセットする、
という結果を生じさせる。
【００８７】
これらの位置リセットは、まず、指示部材の第１所定構成へのリセット、次いでグラフィック要素２０ａ〜ｆの第２所定構成へのリセット、と連続してまたは準連続して、行われる。しかしながら、これらステップは迅速または瞬間的であり、このため同時または実質的に同時と把握される。
【００８８】
所定の構成へリセットするための装置３、４、３４は、特に、
−  ハンマー３４と、第１モバイル１１に固定され、ハンマー３４の第１ピーン３１の動作を受けることが意図される第１カム３、特にハートカム、及びまたは
−  ハンマー３４と、サポートに固定され、ハンマー３４の第２ピーン４１の動作を受けることが意図される第２カム４、
を含む。
【００８９】
図１２及び図１３に示すように、同一のハンマー３４が、指示部材を第１所定構成へリセットするための第１要素３と、グラフィック要素２０ａ〜ｆを第２所定構成へリセットするための第２要素４に、作用するように配置されることができる。このハンマーは、有利には、時計の装着者により操作可能な制御部材ＯＣに運動学的に連結されてもよい。
【００９０】
有利には、ハンマーは、軸Ａ４に沿ってフレーム９に対して並進可動に取付けられる。
【００９１】
第１ピーン３１は、所定の順序で所定の位置へリセット可能にするため、第２ピーン４１に対して自由度を有することができる。また好ましくは、第１ピーン３１は、ハンマーの本体３５に対して可動に、特に並進可動に、特に軸Ａ４に沿って並進可動に、取付けられる。ハンマーは、第１ピーン３１をハンマーの本体に対する、特に第２ピーン４１に対する静止位置へ戻すための要素３１ａを含む。第１ピーン３１の静止位置は、図１２及び１４に図示される。第１ピーン３１とハンマーの本体の間の直動ジョイントは、本体３５に設けられ、第１ピーン３１上に形成される溝３１１と協働する、ピン３５１により形成されてもよい。
【００９２】
例えば、第１ピーン３１を静止位置に戻すための要素３１は、第１ピーン３１と同じ素材製のまたは第１ピーン３１と一体の弾性アーム３１ａを含む。
【００９３】
図５に示すように、カム３は、ピボットシャンク１２へ打ち込まれ、歯車１３に対して角度的に割り出されてもよい。カム３は、第１ピーン３１が第１モバイルを、このため指示部材を、例えば針１が図１及び２で取る位置である、第１所定構成Ｐ１ヘリセット可能なように、例えば、図１２及び１３にあるように、ハートの形状を有する。
【００９４】
第１モバイルの第１所定構成Ｐ１へのリセットはまた、板２２の、図７及び１１に示すような安定位置への位置リセットを引き起こす。実際には、第１モバイルの第１所定構成へのリセットは、第３モバイル７１の所定位置へのリセットを引き起こし、このため係止ディスク７２０の図７及び１１に示す所定位置へのリセットを引き起こす。第３モバイル７１の当該構成において、係止ディスクは、板２２の回転を、このため第２モバイルの回転を許可する。
【００９５】
更に、図５に示すように、カム４は、その上にサポート２が取付けられる円筒状要素２３に固定される。図１２及び１３に示すカム４は、第２ピーン４１がサポート２を、例えばサポート２が図１及び３で取る位置である所定位置Ｐ２へリセット可能なように、構成されることができる。サポート２が板２２上に摩擦を持って取付けられると仮定すると、サポート２とカム４は、所定位置へのリセットにかかる時間だけ、板２２から解放可能である。これは、サポートと板２２が所定構成へ、独立してリセットされることを可能にする。
【００９６】
上述の表示システムの、または上述の時計ムーブメントの、または上述の時計の、作動方法の実施形態を、図７から１１を参照して以下に説明する。図７から１１では、明確化のため、サポート２と、歯車１３及び７３は図示されない。
【００９７】
作動方法は、以下のステップを含む。
【００９８】
第１ステップにおいて、表示システムは初期化された構成にある、または初期構成にリセットされた、またはゼロにリセットされたと推定される。当該構成は、図７に図示される。同図において、指示部材は、図１及び２に図示されるように、開口部１０ａに対向する位置に配置される。指示部材は、ジャンパ６を通じてその位置に保持されてもよい。板２２は、ばね８１と、板２２の第１切欠き２２１ａに収容されフレーム９に形成される当接部８３ａに押圧されるピン８４を通じて、その位置に保持される。図７は、例えば、クロノグラフシステムの始動前の、特に第１モバイルを駆動する機構の始動前の、表示システム１００の状態を示す。当該構成において、サポート２は、有利には、開口部１０ａにグラフィック要素「０」が出現するように配置される。
【００９９】
その後、図８に示す第２ステップにおいて、表示システムは、指示部材と目盛りぶちとの協働により、時刻または時刻派生情報を表示する。当該ステップは、例えば、クロノグラフシステムの始動後に得られる。図８は、第１モバイルを駆動する機構が起動した、表示システム１００を図示する。歯車１３の、すなわち第１モバイルの回転は、指示部材１の、そして結果として歯車７３と爪７２の運動を引き起こす。図８において、指示部材１は、目盛りぶちの範囲の半分そこそこ移動し、駆動爪７２は、ばね８１のピン８４とちょうど接触する。
【０１００】
その後、図９に示す第３ステップにおいて、表示システムは、エネルギー蓄積器８を締め付ける、またはエネルギー蓄積器８にエネルギーを蓄積する。この動作は、例えば、ばねの第２端部８１ａを変位させる爪７２の動作で行われる。この第３ステップにおいて、ピン８４は、例えば、板２２の第１切欠き２２１ａを隣接する第２切欠き２２１ｂへ連結する側面により、またフレーム９上に形成されたカム経路８３により、案内される。当該構成において、ばねの第２端部８１ａは、もはや当接部８３ａと接触せず、ばねは第２モバイル２１を、特に板２２を、軸Ａ１周りに反時計方向に回転させる。しかしながら、板２２の回転は、板の周囲２２０と協働する係止ディスク７２０を通じて阻止される。このためサポート２は、初期角度位置に保持される。このように、ばねは、図１０に示すように、ばね８１のピン８４が板２２の第２切欠き２２１ｂに収容されるまで締め付けられる。同図において、板２２は、上述のように、その角度位置に阻止され続ける。指示部材１は、目盛りぶちの範囲のほぼ全体を移動する。 
【０１０１】
その後、図１０に示す第４ステップにおいて、表示システムは、サポート２の位置を解除する。実際には、指示部材１が目盛りぶちの端部に到達すると、第３モバイル７１は、係止ディスクが解除され、このため板２２の回転を許可する構成に到達する。その後、ピン８４は、ばね８１からの戻しの影響の下で、板２２をその切欠き２２１ｂを通じて駆動自由にする。このため、サポート２は、エネルギー蓄積器が開放する力学的エネルギーにより、変位される。実際には、板２２は、図１１の構成に到達するまで、すなわち図７に示す構成に類似の構成に到達するまで、反時計方向に１／４回転だけ回転駆動される。板の回転は、瞬間的である。
【０１０２】
「瞬間的回転」は、１秒の何分の１の程度の回転を意味するものと理解される。回転は、ばねからのエネルギーの戻りにより生成される。図１０及び１１の構成の間に、板は９０°回転する。このため、４つの切欠き２２１ａ、２２１ｂ、２２１ｃ、２２１ｄは、第２モバイル２１の回転軸Ａ１周りに均等に分配される。
【０１０３】
図１は、ばね８１からのエネルギーの戻りの直後の表示システム１００を示す。ピン８４は、再度、当接部８３ａに対して押圧され、切欠き２２１ｂを通じて板２２をその位置に維持する。当該構成において、サポート２は、有利には、グラフィック要素「３０」が開口部１０ａに出現するように配置される。これを通じ、サポート２は、９０°の瞬間的ジャンプを実施可能である。このようなジャンプは、表示システム１００を、図１に示す第１構成Ｃ１から図２に図示する第２構成Ｃ２へ、またはその逆へ切り替えることを可能にする。
【０１０４】
第５ステップにおいて、クロノグラフシステムの作動は停止される。表示システムは、その後、測定し、記録した時間を表示する。この停止は、時計の装着者による制御部材への動作により命令されてもよい。 
【０１０５】
第６ステップにおいて、表示システムは、再初期化されるまたはゼロにリセットされる。
【０１０６】
第６ステップは、例えば、時計の装着者が表示システムへ動作を、特に表示システムへのユーザによる単純な動作を、特に制御部材への、例えば表示システムの押し部品ＯＣへのユーザによる押圧を、発揮する、第１段階を含む。動作は、再初期化またはゼロへのリセットを始動させるために単純な動作を１つしか必要としないほど、単純であってもよい。例えば、再初期化またはゼロへのリセットを命令するために、押し部品への押し動作のみを必要とし、戻し動作は必要としなくてもよい。
【０１０７】
その後、当該動作の結果、指示部材と目盛りぶちとの協働により表示される時刻または時刻派生情報は、所定構成までリセットされ、特にゼロへリセットされる。特に、指示部材１は、第１所定構成に配置され、及びまたはグラフィック要素は第２所定構成へリセットされる。 
【０１０８】
時計の装着者の動作の下でのハンマーの起動の第１サブフェーズにおいて、指示部材が第１所定構成Ｐ１に到達するまで軸Ａ１周りに旋回するように、第１ピーン３１は、カム３と接触する。その後、全ての第１モバイルが旋回し、第３モバイルが結果として、板が旋回可能であってまだ到達していない場合には図７または図１１に示す構成にもたらされるような、構成へ到達するため、旋回する。板はその後、ばねの第２端部が当接部８３ａと接触する、静止位置にある。
【０１０９】
指示部材１が第１所定構成Ｐ１に配置され、ピーン３１がハート３の平面に接触すると、ハンマー３４はハンマーの起動の第２サブフェーズにおいて、アーム３１ａの弾性変形の影響の下、第２ピーン４１を通じてカム４の起動を可能にするように、その移動を継続することができる。ハンマー３４は、このように、起動の第１サブフェーズにおいて、カム３に作用可能なように、また起動の第２サブフェーズにおいてカム４に作用可能なように、構成される。カム４へのピーン４１の動作は、カム４の軸Ａ１周りの回転を引き起こし、このためサポートの軸Ａ１周りの回転を引き起こす。サポートと板との間に摩擦が存在するため、サポートは、当該動作において、板が旋回することなく旋回可能である。このため、グラフィック要素を、特にサポートを、第２所定構成Ｐ２にリセットすることが可能になる。
【０１１０】
図１２は、所定構成Ｐ１、Ｐ２へのリセット前のシステムを図示する。同図において、第１及び第２ピーン３１、４１は、それぞれカム３、４の圏外にある。図１３は、指示部材１及びサポート２が、制御部材ＯＣにより起動されるハンマー３４の影響の下で、所定構成Ｐ１、Ｐ２へリセットされた後の装置を図示する。同図において、第１及び第２ピーン３１、４１は、それぞれ、制御部材ＯＣの影響の下で、カム３及び４と接触する。
【０１１１】
第２態様によれば、時計３００の実施形態は、図１から１４を参照して以下に説明される。時計は、好ましくは小型時計、特に腕時計である。
【０１１２】
時計は、時計ムーブメントを含む。時計ムーブメントは、電子式または機械式でもよく、特に自動式でもよい。
【０１１３】
時計ムーブメントは、有利には、クロノグラフシステムを、例えばクロノグラフモジュールを含む。
【０１１４】
時計ムーブメントは、特にクロノグラフシステムは、第２モバイル２１を起動するための、特に時刻または時刻派生情報を表示するディスクを起動するためのシステム１５０の実施形態を含む。
【０１１５】
第２モバイル２１を起動するためのシステム１５０は、
−  その上で第２モバイル２１が軸Ａ１周りに旋回するフレーム９と、
−  エネルギー蓄積器８と、
−  エネルギーを蓄積器に伝達するための機構７１と、
−  蓄積器により提供されるエネルギーの力の下で、第２モバイル２１の運動を許可するための機構７２０と、
を含む。
【０１１６】
エネルギー蓄積器８は、第１端部８１ｂがフレーム９に固定され、第２端部８１ａが第２モバイル２１に当接する、ばね８１を、特にひげぜんまいを含むことができ、第２モバイルは、ばねの第２端部を連続して受けることが意図される、いくつかの切欠き２２１ａ〜ｄを含む。
【０１１７】
伝達機構は、第１軸Ａ１に平行なまたは実質的に平行な軸Ａ２周りに運動駆動される、特に回転運動駆動される、第３モバイル７１を含むことができ、第３モバイルは、エネルギー蓄積器を締め付けるように作用するように、特にばねの端部を１つの切欠きから他の切欠きに変位させるようにばねの第２端部に作用するように、配置される爪７２を含む。
【０１１８】
許可機構は、第１軸Ａ１に平行なまたは実質的に平行な軸周りに運動駆動、特に回転運動駆動され、第２モバイルの回転を係止または許可する第１モバイルに生成されたいくつかの第２切欠き２２３ａ〜ｄと協働する、第１切抜き７２１が設けられた係止ディスク７２０が設けられた第４モバイルを含んでもよい。係止ディスクは、第１モバイルの回転が許可される第１構成と、係止ディスクとの障害により第１モバイルの回転が禁止される第２構成とを有する。
【０１１９】
係止ディスクの回転軸と、第３モバイルの回転軸は、一致してもよく、異なっても良い。
【０１２０】
好ましくは、第３及び第４モバイルは、同一のモバイルである。 
【０１２１】
好ましくは、切欠きは、第１軸Ａ１に中心を取る、正多角形の頂点に形成される。
【０１２２】
好ましくは、各切欠きは、案内面または側面２２２ａ〜ｄにより、隣接する切欠きへ連結される。
【０１２３】
好ましくは、各切欠きは、第２モバイルの静止位置を定義するため、エネルギー蓄積器と協働するよう配置され、エネルギー蓄積器は、第２モバイルを、蓄積器、切欠き、及び当接部８３ａの協働により定義される静止位置へ戻すよう力を生成する。
【０１２４】
第２モバイルは、切欠きが設けられた本体２２または板と、軸Ａ１周りに本体上に摩擦により可動に、特に刻み目により可動に取付けられる第２モバイル２１の部材２、特にサポートまたは板２とを含んでもよい。
【０１２５】
起動システムは、第２モバイル２１の部材２を所定構成へリセットするための要素４を、特にカム４を含む、第１モバイルを所定構成へリセットするための装置４、３４を含んでもよい。
【０１２６】
第２態様によれば、上述の起動システムまたは上述の時計ムーブメントまたは上述の時計の作動方法は、
−  第２モバイルの第１構成への設定、その後
−  ユーザの起動システムへの動作、特にユーザの起動システムへの単純な動作、例えばユーザの起動システムの押し部品ＯＣの押圧、その後
−  動作ステップの結果、第２モバイルの所定構成へのリセット、
のステップを含む。
【０１２７】
第１構成へのリセット動作は、
−  爪７２の動作によるエネルギー蓄積器の締め付け、特にばねの端部を変位させる爪７２の動作によるばねの締め付け、その後
−  第２モバイル２１の位置の解除、その後
−  エネルギー蓄積器が解放する機械式エネルギーによる第２モバイル２１の変位
のステップを含んでもよい。
【０１２８】
他の態様によれば、上述の起動システムまたは上述の時計ムーブメントまたは上述の時計の作動方法の実施形態は、
−  爪７２の動作によるエネルギー蓄積器の締め付け、特にばねの端部を変位させる爪７２の動作によるばねの締め付け、その後
−  第２モバイル２１の位置の解除、その後
−  エネルギー蓄積器が解放する機械式エネルギーによる第２モバイル２１の変位
のステップを含む。
【０１２９】
上述の通り、動作ステップの結果、第２モバイルは、所定構成へリセットされ、特に本体２２は第１所定構成Ｐ１へもたらされ、及びまたは部材２は第２所定構成Ｐ２へもたらされる。これは、例えば、ハンマーの動作で行われる。
【０１３０】
ハンマーの起動の第１サブフェーズにおいて、時計の装着者による動作の下、第１ピーン３１は、第３モバイルが旋回して、本体２２が旋回可能であってまだ到達していない場合には図７または図１１に示す構成にもたらされるような構成へ到達するため、カム３と接触する。その後、本体２２は、ばねの第２端部が当接部８３ａと接触する静止位置にある。
【０１３１】
本体が第１所定構成Ｐ１に配置され、ピーン３１がハート３の平面と接触すると、ハンマー３４は、ハンマーの起動の第２サブフェーズにおいて、アーム３１ａの弾性変形の効果の下で第２ピーン４１を通じてカム４の起動を可能にするために、移動を続けることができる。このため、ハンマー３４は、起動の第１サブフェーズにおいてカム３に作用可能なように、そして起動の第２サブフェーズにおいてカム４に作用可能なように、構成される。ピーン４１のカム４への動作は、軸Ａ１周りのカム４の回転を引き起こし、このため部材２の軸Ａ１周りの回転を引き起こす。部材２と本体２２の間に存在する摩擦のため、当該操作において部材２は、本体２２の旋回なくして旋回可能である。このため、部材２を第２所定構成Ｐ２へリセットすることが可能になる。
【０１３２】
上述の様々な態様及びまたは実施形態において、システム、装置及び方法は、クロノグラフ機能を実施するために使用された。しかしながら、様々な態様及びまたは実施形態において、システム、装置及び方法は、他のあらゆる時計機能に、特にフライバック機能に用いることができる。
【０１３３】
上述の様々な態様及びまたは実施形態において、システム、装置、及び方法は、カウンターを実施するために用いられた。しかしながら、異なる態様及びまたは実施形態によれば、システム、装置及び方法は、同一の時計上のいくつかのカウンターを実施するために用いることもできる。このため、いくつかの起動システム及びまたはいくつかの表示システムを、同一の時計または同一のムーブメントまたは同一のクロノグラフシステムに設けることができる。例えば、
−  起動システム及びまたは表示システムを、数分の１秒を示すために設けることができる、及びまたは
−  起動システム及びまたは表示システムを、秒を示すために設けることができる、及びまたは
−  起動システム及びまたは表示システムを、分を示すために設けることができる、及びまたは
−  起動システム及びまたは表示システムを、時を示すために設けることができる。
【０１３４】
上述の様々な態様及びまたは実施形態において、システム、装置と方法は、クロノグラフ機能を実施するために用いられた。クロノグラフは、従来のクロノグラフ機構を通じて請求に応じて開始し停止可能である。
【０１３５】
上述の様々な態様及びまたは実施形態において、システム、装置と方法は、円形の目盛りぶちと完全な目盛りぶち旋回を行うインジケータ部材を用いて説明された。しかしながら、異なる態様及びまたは実施形態において、システム、装置と方法は、レトログラードタイプの指示部材と協働する非円形目盛りぶちに関連してもよい。
【０１３６】
上述の様々な態様及びまたは実施形態において、システム、装置と方法は、瞬間的９０°ジャンプを行う板または第２モバイルを用いて説明された。しかしながら、異なる態様及びまたは実施形態において、システム、装置と方法は、板または第２モバイルが、その他の角度値の瞬間的ジャンプを実行する実施形態に関連してもよい。
【０１３７】
上述の様々な態様及びまたは実施形態において、システム、装置と方法は、目盛りぶちと関連する３つの開口部を用いて説明された。しかしながら、異なる態様及びまたは実施形態において、システム、装置と方法は、目盛りぶちと関連するその他の数の開口部、特に１または２または４または５または６または１０または１２の開口部の実施形態に関連してもよい。
【０１３８】
上述の様々な態様及びまたは実施形態において、システム、装置と方法は、目盛りぶちと関連し、軸Ａ１に対して１２０°で配置される３つの開口部と、軸Ａ１に対して９０°ジャンプを行うサポート２と、サポート上で軸Ａ１に対して３０°毎に配置されるグラフィック要素とを用いて説明された。当該構成は、サポート２上に２組のグラフィック要素を配置することが可能なため、有利である。
【０１３９】
上述の解決策の結果、少なくとも１つの目盛りぶち基準毎にジャンプするタイプの表示を提供することで、目盛りぶちに対する指示部材の位置の解釈を修正することが可能である。
【０１４０】
好ましくは、上述の実施形態において、少なくとも１つの修正可能グラフィック要素は、少なくとも１つの修正可能グラフィック要素のいくつかの構成において、少なくとも１つの修正可能グラフィック要素が、時刻または時刻派生情報の、とりわけ測定された時間の目盛のいくつかの補完的範囲を定義するまたは定義することを助けるように、配置される。
【０１４１】
例えば、少なくとも１つの修正可能グラフィック要素の第１構成において、少なくとも１つの修正可能グラフィック要素は、目盛に表示可能な値の第１範囲を定義するまたは定義することを助け、少なくとも１つの修正可能グラフィック要素の第２構成において、少なくとも１つの修正可能グラフィック要素は、目盛に表示可能な値の第２範囲を定義するまたは定義することを助ける。好ましくは、第１及び第２範囲は補完的であり、両者の結合は、値の目盛の全体を定義する。例えば、値の第１範囲は［０；３０］であり、値の第２範囲は［３０；６０］であり、値の全体範囲は［０；６０］である。図に示す実施形態において、３つの修正可能グラフィック要素が用いられる。図に示す実施形態において、
−  第１グラフィック要素２０ａは、第１構成において、第１の場所で、とりわけ第１開口部１０ａにおいて、「０」の値を与え、第４グラフィック要素２０ｄは、第２構成において、第１の場所で、「３０」の値を与える、
−  第２グラフィック要素２０ｂは、第１構成において、第２の場所で、とりわけ第２開口部１０ｂにおいて、「１０」の値を与え、第５グラフィック要素２０ｅは、第２構成において、第２の場所で、「４０」の値を与える、
−  第３グラフィック要素２０ｃは、第１構成において、第３の場所で、とりわけ第３開口部１０ｃにおいて、「２０」の値を与え、第６グラフィック要素２０ｆは、第２構成において、第３の場所で、「５０」の値を与える。
【０１４２】
第１グラフィック要素と第４グラフィック要素は、単一の第１修正可能グラフィック要素と見做されてもよい。
【０１４３】
第２グラフィック要素と第５グラフィック要素は、単一の第２修正可能グラフィック要素と見做されてもよい。
【０１４４】
第３グラフィック要素と第６グラフィック要素は、単一の第３修正可能グラフィック要素と見做されてもよい。
【０１４５】
より一般的には、少なくとも１つの修正可能グラフィック要素のいくつかの構成は、２以上の補完的範囲を、とりわけ３つ、４つ、５つ、または６つの補完的範囲を定義するまたは定義することを助ける。補完的範囲の数は、構成の数で定義される。好ましくは、補完的範囲と同数の別個のまたは異なる構成が存在する。好ましくは、各種補完的範囲の大きさは均等である。
【符号の説明】
【０１４６】
１        指示部材
２        サポート
３        第１要素
４        第２要素
８        エネルギー蓄積器
９        フレーム
１０      目盛りぶち
２０ａ〜ｆ  グラフィック要素
２２      板
３４      ハンマー
７１      モバイル
７２      爪
１００    表示システム
２００    時計ムーブメント
２２１ａ〜ｄ  切欠き
３００    時計
７２０    係止ディスク
７２１    第１切抜き
【図１】
2019219383.tif 000003
【図２】
2019219383.tif 000004
【図３】
2019219383.tif 000005
【図４】
2019219383.tif 000006
【図５】
2019219383.tif 000007
【図６】
2019219383.tif 000008
【図７】
2019219383.tif 000009
【図８】
2019219383.tif 000010
【図９】
2019219383.tif 000011
【図１０】
2019219383.tif 000012
【図１１】
2019219383.tif 000013
【図１２】
2019219383.tif 000014
【図１３】
2019219383.tif 000015
【図１４】
2019219383.tif 000016
【手続補正書】
【提出日】令和1年8月29日(2019.8.29)
【手続補正１】
【補正対象書類名】特許請求の範囲
【補正対象項目名】請求項１５
【補正方法】変更
【補正の内容】
【請求項１５】
請求項１から１０のいずれか一項に記載の表示システムまたは請求項１１に記載の時計ムーブメントまたは請求項１２に記載の時計の作動方法であって、
爪（７２）の動作によるエネルギー蓄積器（８）の締め付け、特に爪（７２）による前記ばねの端部の変位動作によるばねの締め付け、その後、
サポート（２）の位置の解除、その後、
前記エネルギー蓄積器が解放する機械的エネルギーによる、前記サポート（２）の変位、
のステップを含む、作動方法。
【外国語明細書】
2019219383000001.pdf
2019219383000002.pdf
2019219383000003.pdf
2019219383000004.pdf